(57)【要約】【課題】作業者が室内ユニット本体に化粧パネルを取り付けることが容易な化粧パネルを備えた天井埋込型室内ユニットを提供する。【解決手段】熱交換器３０及び送風機２０を収容した室内ユニット本体１４と、前記室内ユニット本体１４の下側に取り付けられる化粧パネル３３と、を備え、天井１１に設置される天井埋込型室内ユニット１０において、前記化粧パネル３３は、前記室内ユニット本体１４の下側から前記化粧パネル３３を前記室内ユニット本体１４に取り付ける取付部材４６、４７と、前記前記取付部材４６、４７の最大外周部より下方に位置し、前記取付部材４６、４７の最大外周部の外端４７Ａよりも内側方向に延出する落下防止部材５４，５５と、を備えた。【選択図】図６
2017067386.tif 000002
【特許請求の範囲】
【請求項１】
熱交換器及び送風機を収容した室内ユニット本体と、前記室内ユニット本体の下側に取り付けられる化粧パネルと、を備え、天井に設置される天井埋込型室内ユニットにおいて、
前記化粧パネルは、前記室内ユニット本体の下側から前記化粧パネルを前記室内ユニット本体に取り付ける取付部材と、前記取付部材の最大外周部より下方に位置し、前記取付部材の最大外周部の外端よりも内側方向に延出する落下防止部材と、
を備えることを特徴とする天井埋込型室内ユニット。
【請求項２】
前記化粧パネルは、前記取付部材の周方向を囲む周壁を備え、
前記落下防止部材は、前記周壁に設けられていることを特徴とする請求項１に記載の天井埋込型室内ユニット。
【請求項３】
前記落下防止部材は、前記周壁の下端部に設けられていることを特徴とする請求項２に記載の天井埋込型室内ユニット。
【請求項４】
前記取付部材は、ビスおよびビスの落下を防止するワッシャで構成され、
前記落下防止部材は、落下防止爪で構成され、
前記落下防止爪は、少なくとも対向して配置される２箇所に設けられていることを特徴とする請求項２または請求項３に記載の天井埋込型室内ユニット。
【請求項５】
前記ビスの長さは、前記化粧パネルを前記室内ユニット本体に取り付けた場合の前記化粧パネルの高さよりも短いことを特徴とする請求項４に記載の天井埋込型室内ユニット。
【発明の詳細な説明】
【技術分野】
【０００１】
本発明は、天井埋込型室内ユニットに関するものであり、特に、化粧パネルを天井埋込型室内ユニットに取り付ける際の取り付け構造に関するものである。
【背景技術】
【０００２】
従来、空気調和装置の天井埋込型室内ユニットは、室内ユニット本体と、室内ユニット本体の下側開口を覆う化粧パネルとを備えている。
この種の天井埋込型室内ユニットでは、室内ユニット本体を建物等の天井に取り付けた状態で、室内ユニット本体の下側から化粧パネルが取り付けられる。そのため、室内ユニット本体および化粧パネルには、室内ユニット本体に化粧パネルを取り付けるための取り付け構造が設けられている（例えば、特許文献１参照）。
【先行技術文献】
【特許文献】
【０００３】
【特許文献１】特開２０１４−１６３６１９号公報
【発明の概要】
【発明が解決しようとする課題】
【０００４】
しかしながら、室内ユニット本体を建物等の天井に取り付けた状態で室内ユニット本体の下側から室内ユニット本体に化粧パネルを取り付ける場合、一定の大きさを備えている化粧パネルや、化粧パネルを室内ユニット本体に取り付ける取付部材が、重力により下方に落下しようとし、作業者が室内ユニット本体に化粧パネルを取り付けるのが困難であるという問題がある。
本発明は、上述した事情に鑑みてなされたものであり、作業者が室内ユニット本体に化粧パネルを取り付けることが容易な化粧パネルを備えた天井埋込型室内ユニットを提供することを目的とする。
【課題を解決するための手段】
【０００５】
上記目的を達成するために、本発明は、熱交換器及び送風機を収容した室内ユニット本体と、前記室内ユニット本体の下側に取り付けられる化粧パネルと、を備え、天井に設置される天井埋込型室内ユニットにおいて、前記化粧パネルは、前記室内ユニット本体の下側から前記化粧パネルを前記室内ユニット本体に取り付ける取付部材と、前記取付部材の最大外周部より下方に位置し、前記取付部材の最大外周部の外端よりも内側方向に延出する落下防止部材と、を備えることを特徴とする。
【０００６】
また、本発明は、前記化粧パネルは、前記取付部材の周方向を囲む周壁を備え、前記落下防止部材は、前記周壁に設けられていることを特徴とする。
【０００７】
また、本発明は、前記落下防止部材は、前記周壁の下端部に設けられていることを特徴とする。
【０００８】
また、本発明は、前記取付部材は、ビスおよびビスの落下を防止するワッシャで構成され、前記落下防止部材は、落下防止爪で構成され、前記落下防止爪は、少なくとも対向して配置される２箇所に設けられていることを特徴とする。
【０００９】
また、本発明は、前記ビスの長さは、前記化粧パネルを前記室内ユニット本体に取り付けた場合の前記化粧パネルの高さよりも短いことを特徴とする。
【発明の効果】
【００１０】
本発明によれば、室内ユニット本体を建物等の天井に取り付けた状態で室内ユニット本体の下側から室内ユニット本体に化粧パネルを取り付ける場合にも、取付部材が落下することがないため、作業者が室内ユニット本体に化粧パネルを取り付けることが容易な化粧パネルを備えた天井埋込型室内ユニットを提供できる。
【図面の簡単な説明】
【００１１】
【図１】本発明の実施形態に係る空気調和装置の天井埋込型室内ユニットの側部断面図である。
【図２】天井埋込型室内ユニットの斜視図である。
【図３】天井埋込型室内ユニットの化粧パネルを被調和室側から見た平面図である。
【図４】フラップを開いた状態の化粧パネルの斜視図である。
【図５】化粧パネルの角部を被調和室側からみた平面拡大図であり、（Ａ）はコーナーパネルを外した状態の図、（Ｂ）はコーナーパネルの図である。
【図６】コーナーパネルを外した状態における化粧パネルの角部の拡大斜視図であり、図５（Ａ）のＡ部分の拡大斜視図である。
【図７】図３のＢ−Ｂ断面図であり、取付部材を室内ユニット本体に取り付ける前の状態を示す図である。
【図８】図３のＢ−Ｂ断面図であり、取付部材を室内ユニット本体に取り付けた後の状態を示す図である。
【発明を実施するための形態】
【００１２】
以下、本発明の一実施の形態を、図面を参照して説明する。
図１は、本発明の実施の形態に係る空気調和装置の天井埋込型室内ユニット１０の側部断面図である。図２は、天井埋込型室内ユニット１０の斜視図である。図３は、天井埋込型室内ユニット１０の化粧パネル３３を被調和室側から見た平面図である。図４は、フラップ６０を開いた状態の化粧パネル３３の斜視図である。
なお、以下の説明において、上下、内外とは、化粧パネル３３を室内ユニット本体１４に取り付けた状態においての天井埋込型室内ユニット１０を基準として説明している。また、空調後の空気が吹出される空間を被調和室としている。
【００１３】
天井埋込型室内ユニット１０は、建屋の天井１１とこの天井１１の下方に設置された天井板１２との間の天井空間１３に設置される。この天井埋込型室内ユニット１０は、室内ユニット本体１４と、室内ユニット本体１４の下側開口を覆う化粧パネル３３とを備えている。
室内ユニット本体１４の外側角部には、吊り用金具１８が取り付けられている。室内ユニット本体１４は、吊り用金具１８に連結された吊りボルト１５で天井１１から吊り下げられた状態で設置される。この室内ユニット本体１４の内側には、発泡スチロール製の断熱部材１６が、室内ユニット本体１４の側板１７の内面に接した状態で配置され、側板１７における結露を防止している。
【００１４】
室内ユニット本体１４の上板の下面には、ファンモータ２１が取り付けられており、このファンモータ２１には、ファンモータ２１の駆動により回転駆動される回転シャフト２２が下方に延在するように設けられている。この回転シャフト２２の下端部分には、遠心ファン２３が取り付けられており、このファンモータ２１と遠心ファン２３とで送風機２０を構成している。
【００１５】
遠心ファン２３は、環状の板状に形成された主板２４を備えている。主板２４の中心部分には、下方に延出する逆円錐台形状のモータ収容部２５が形成されている。
モータ収容部２５には、ファンモータ２１が収容されており、ファンモータ２１の回転シャフト２２は、下方に延在しモータ収容部２５の底面に連結されている。そして、ファンモータ２１を回転駆動させることにより、回転シャフト２２を介して遠心ファン２３を回転動作させるように構成されている。
【００１６】
主板２４の下方には、シュラウド２６が設けられており、シュラウド２６は、周面が弧状に形成された環状に形成されている。主板２４とシュラウド２６の内周面との間には、周方向に所定間隔をもって配置される複数の翼２７が一体に形成されている。
シュラウド２６の下方には、オリフィス２８が配置されており、オリフィス２８は、周面が弧状に形成された環状に形成されている。
【００１７】
送風機２０と断熱部材１６との間には、送風機２０の側方を取り囲むように、平面視でほぼ四角形状に曲折形成された熱交換器３０が配置されている。
熱交換器３０は、冷房運転時には、冷媒の蒸発器として機能し、暖房運転時、冷媒の放熱器として機能する熱交換器３０である。熱交換器３０は、室内ユニット本体１４の内部に吸い込まれる室内の空気と冷媒との熱交換を行って、冷房運転時には、空調室内の空気を冷却し、暖房運転時には、室内の空気を加熱することができるように構成されている。
【００１８】
熱交換器３０の下側には、熱交換器３０の下面に対応するようにドレンパン３１が配置されている。このドレンパン３１は、熱交換器３０で発生するドレン水を受けるためのものである。ドレンパン３１の中央部分には、送風機２０の吸い込み口３２が形成されている。
【００１９】
室内ユニット本体１４の下面には、図１および図２に示すように、室内ユニット本体１４の下側開口を覆うように、ほぼ四角形状の化粧パネル３３が取り付けられている。
化粧パネル３３のパネル本体４０の中央部分には、ドレンパン３１の吸い込み口３２に連通するパネル本体４０の吸い込み口３４が形成されている。パネル本体４０の吸い込み口３４部分には、パネル本体４０の吸い込み口３４を覆う吸い込みグリル３５が着脱可能に取り付けられている。吸い込みグリル３５の室内ユニット本体１４側には、空気中の塵などを除去するためのフィルタ３６が設けられている。
【００２０】
パネル本体４０の吸い込み口３４の外側であってパネル本体４０の各辺に沿った位置には、空調後の空気を被調和室に送る吹出口３７がそれぞれ形成されている。この吹出口３７は、略矩形に形成されている。
また、この四方向への吹出口３７には、図２から図４に示すように、吹出方向を変更するフラップ６０がそれぞれ設けられている。
【００２１】
図５は、化粧パネル３３の角部を被調和室側からみた平面拡大図であり、（Ａ）はコーナーパネル４２を外した状態の図、（Ｂ）はコーナーパネル４２の図である。図６は、コーナーパネル４２を外した状態における化粧パネル３３の角部の拡大斜視図であり、図５（Ａ）のＡ部分の拡大斜視図である。図７は、図３のＢ−Ｂ断面図であり、取付部材を室内ユニット本体に取り付ける前の状態を示す図である。図８は、図３のＢ−Ｂ断面図であり、取付部材を室内ユニット本体１４に取り付けた後の状態を示す図である。
【００２２】
図５に示すように、パネル本体４０の４つの角部には、作業用開口４１が形成されている。この作業用開口４１には、作業用開口４１を被覆するためのコーナーパネル４２が取り付けられている。コーナーパネル４２は、化粧パネル３３の下側に向けて取り外し可能に構成されている。
作業用開口４１の吹出口３７に接する２つの側辺には、軸受台座４３が形成されている。各軸受台座４３の間には、各軸受台座４３を連結する複数のリブ４４が形成されている。
【００２３】
図５から図８に示すように、リブ４４とリブ４４との間には、ビス挿入部４５が形成されている。このビス挿入部４５は、コーナーパネル４２の四隅に形成されている。
ビス挿入部４５には、円筒状の周壁５１が形成されている。この周壁５１は、複数のリブ４４と一体形成されている。周壁５１には開口部５２が設けられており、上面視でＣ型の形状を形成している。周壁５１の高さとリブ４４の高さは、同じ高さであり、周壁５１の上端面とリブ４４の上端面とは、面一に形成されている。
【００２４】
周壁５１の内側には、室内ユニット本体１４に対して化粧パネル３３を固定するためのビス４６およびビス４６の落下防止用ワッシャ４７が装着されている。このビス４６およびビス４６の落下防止用ワッシャ４７は、取付部材を構成している。
【００２５】
開口部５２には、室内ユニット本体１４に化粧パネル３３を取り付ける場合に落下防止用ワッシャ４７およびビス４６がビス挿入部４５から落下することを防止するための爪部材４８が形成されている。この爪部材４８は、周壁５１と略等しい高さを備える側壁５３と、側壁５３の下端部からビス挿入部４５の内側に延出する落下防止部材としての第１の落下防止爪５４と、を備えている。側壁５３の下端面は、周壁５１の下端面およびリブ４４の下端面と面一に形成されている。
この爪部材４８は、可とう性を備えている。そのため、爪部材４８を外側方向に曲げることで周壁５１の内部にビス４６および落下防止用ワッシャ４７を装着することができる。
第１の落下防止爪５４に対向する位置であり、周壁５１の下端部には、落下防止部材としての第２の落下防止爪５５がビス挿入部４５の内側に延出して形成されている。
【００２６】
落下防止用ワッシャ４７は、最大外周部を構成している。最大外周部とは、取付部材のうち、水平方向の外周の長さが最大となる箇所である。本実施の形態では、取付部材であるビス４６および落下防止用ワッシャ４７のうち、水平方向の外周の長さが最大となる落下防止用ワッシャ４７が最大外周部となる。
第１の落下防止爪５４および第２の落下防止爪５５は、最大外周部である落下防止用ワッシャ４７よりも下方に位置している。また、第１の落下防止爪５４および第２の落下防止爪５５は、最大外周部である落下防止用ワッシャ４７の外端４７Ａよりも、取付部材であるビス４６および落下防止用ワッシャ４７の内側方向に延出して形成されている。
【００２７】
第１の落下防止爪５４および第２の落下防止爪５５が内側方向に延出する長さは、落下防止用ワッシャ４７の外端４７Ａよりも内側に延びる長さであればよい。第１の落下防止爪５４および第２の落下防止爪５５が内側方向に延出する長さは、落下防止用ワッシャ４７の外端４７Ａに応じて、適宜に変更が可能である。
【００２８】
また、第１の落下防止爪５４および第２の落下防止爪５５とは別に、例えば第３の落下防止爪や第４の落下防止爪を設けることもできる。また、例えば、周壁５１の下端部に周方向に一周させた落下防止部材を備えることもできる。また、例えば、落下防止部材は少なくとも周方向等間隔に配置された３箇所に設けられる落下防止爪とすることもできる。
【００２９】
また、取付部材としては、必ずしもビス４６および落下防止用ワッシャ４７に限るものではない。
【００３０】
図７、図８に示すように、ビス挿入部４５の上部にワッシャ受け部５６が形成されている。ワッシャ受け部５６の中央部分には、ビス孔５７が設けられている。ビス孔５７と連続する位置であり、室内ユニット本体１４の側には、化粧パネル取り付けねじ孔５８が設けられている。
【００３１】
ビス４６の長さは、ビス挿入部４５の高さと略等しく構成されている。このビス挿入部４５の高さは、化粧パネル３３を室内ユニット本体１４に取り付けた場合の化粧パネル３３の高さよりも短い。
【００３２】
次に、本実施形態の作用について説明する。
まず、室内ユニット本体１４が天井１１に固定されている状態で、室内ユニット本体１４の下側から化粧パネル３３を室内ユニット本体１４の下側開口に位置にあわせる。このとき、室内ユニット本体１４の化粧パネル取り付けねじ孔５８の位置と化粧パネル３３のビス孔５７の位置とが合致する。
次に、化粧パネル３３の下側からビス４６により室内ユニット本体１４と化粧パネル３３とを固定する。このとき、室内ユニット本体１４に化粧パネル３３を取り付ける前に第１の落下防止爪５４および第２の落下防止爪５５の上に載っていた落下防止用ワッシャ４７は、室内ユニット本体１４に化粧パネル３３を取り付けた後、ワッシャ受け部５６に密着固定される。
【００３３】
室内ユニット本体１４から化粧パネル３３を取り外す場合には、化粧パネル３３の下側から、室内ユニット本体１４と化粧パネル３３とを固定しているビス４６を取り外す。このとき、ビス４６は、落下防止用ワッシャ４７が第１の落下防止爪５４および第２の落下防止爪５５に載るため、落下しない。
【００３４】
以上説明したように、本実施の形態によれば、化粧パネル３３は、室内ユニット本体１４の下側から化粧パネル３３を室内ユニット本体１４に取り付ける取付部材としてのビス４６および落下防止用ワッシャ４７と、取付部材としてのビス４６および落下防止用ワッシャ４７の最大外周部である落下防止用ワッシャ４７より下方に位置し、落下防止用ワッシャ４７の外端４７Ａよりも内側方向に延出する落下防止部材としての第１の落下防止爪５４および第２の落下防止爪５５と、を備えている。
この構成によれば、室内ユニット本体１４を建物の天井１１に取り付けた状態で室内ユニット本体１４の下側から室内ユニット本体１４に化粧パネル３３を取り付ける場合、落下防止用ワッシャ４７が第１の落下防止爪５４および第２の落下防止爪５５の上に載るため、ビス４６および落下防止用ワッシャ４７の落下を防止できる。作業者が室内ユニット本体１４に化粧パネルを取り付けることが容易な化粧パネル３３を備えた天井埋込型室内ユニット１０を提供できる。
【００３５】
また、本実施の形態によれば、化粧パネル３３は、取付部材としてのビス４６および落下防止用ワッシャ４７の周方向を囲む周壁５１を備え、落下防止部材としての第１の落下防止爪５４および第２の落下防止爪５５は周壁５１の内側に延出するように設けられている。
この構成によれば、ビス４６および落下防止用ワッシャ４７を周壁５１と第１の落下防止爪５４および第２の落下防止爪５５で囲むことができ、室内ユニット本体１４を建物の天井１１に取り付けた状態で室内ユニット本体１４の下側から室内ユニット本体１４に化粧パネル３３を取り付ける場合に、ビス４６および落下防止用ワッシャ４７の落下を防止できる。
【００３６】
また、本実施の形態によれば、落下防止部材としての第１の落下防止爪５４および第２の落下防止爪５５は、周壁５１の下端部に設けられている。
この構成によれば、ビス４６をビス挿入部４５の高さの範囲で長くできる。そのため、化粧パネル３３と室内ユニット本体１４とを安定して固定できる。
【００３７】
また、本実施の形態によれば、第１の落下防止爪５４および第２の落下防止爪５５は、対向して配置される２箇所に設けられている。
この構成によれば、ビス４６および落下防止用ワッシャ４７の落下を少ない数の爪で実現できる。そのため、製造コストを軽減できる。
【００３８】
また、本実施の形態によれば、ビス４６の長さは、ビス挿入部４５の高さと略等しく、化粧パネル３３を室内ユニット本体１４に取り付けた場合の化粧パネル３３の高さよりも短く構成されている。
この構成によれば、室内ユニット本体１４に化粧パネル３３を取り付ける場合に、ビス４６が化粧パネル３３の上方に突出することがない。そのため、室内ユニット本体１４に化粧パネル３３を取り付ける場合に、ビス４６が室内ユニット本体１４にあたることがなく、室内ユニット本体１４と化粧パネル３３との位置合わせを容易にできる。
また、ビス４６をビス挿入部４５の高さと略等しく構成することで、ビス４６を化粧パネル３３の高さの範囲内で長くでき、室内ユニット本体１４に化粧パネル３３を安定して取り付けることができる。
なお、化粧パネル３３の高さの範囲内でビス４６を調整することが可能である。
【００３９】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【符号の説明】
【００４０】
１０  天井埋込型室内ユニット
１４  室内ユニット本体
２０  送風機
３０  熱交換器
３３  化粧パネル
４２  コーナーパネル
４４  リブ
４５  ビス挿入部
４６  ビス（取付部材）
４７  落下防止用ワッシャ（取付部材）
４７Ａ  落下防止用ワッシャの外端
４８  爪部材
５１  周壁
５２  開口部
５３  側壁
５４  第１の落下防止爪（落下防止部材）
５５  第２の落下防止爪（落下防止部材）
５６  ワッシャ受け部
５７  ビス孔
５８  化粧パネル取り付けねじ孔
【図１】
2017067386.tif 000003
【図２】
2017067386.tif 000004
【図３】
2017067386.tif 000005
【図４】
2017067386.tif 000006
【図５】
2017067386.tif 000007
【図６】
2017067386.tif 000008
【図７】
2017067386.tif 000009
【図８】
2017067386.tif 000010